(57)【要約】【課題】フレームに複数のパネル板を上下に取付けて構成するブロックパネル装置であって、トレー等のオプション品を係止することが可能なハンギング機能を設けるにも係わらず、ハンギング機能が目立たず、外観的には通常のものと遜色ないハンギング機能付きブロックパネル装置を提供する。【解決手段】フレーム１の両側縦杆４のすくなくとも前面側に上下一対となった係止孔５を複数対形成し、ブロックパネル２の背面の両側上下部に形成した下向きフック６を上下一対の係止孔に嵌合係止してなるブロックパネル装置であって、ブロックパネルの上縁に沿って、トレー等のオプション品を係止するための係止レール３を前面側に開放して形成し、係止レールは、下部に内下方へ凹んだ係止溝１９を形成するとともに、係止溝の直上に当止片２０を前方突出させて形成した。【選択図】        図４
2007154645.tif 000002
【特許請求の範囲】
【請求項１】
フレームの両側縦杆のすくなくとも前面側に上下一対となった係止孔を複数対形成し、ブロックパネルの背面の両側上下部に形成した下向きフックを上下一対の前記係止孔に嵌合係止してなるブロックパネル装置であって、前記ブロックパネルの上縁に沿って、トレー等のオプション品を係止するための係止レールを前面側に開放して形成したことを特徴とするハンギング機能付きブロックパネル装置。
【請求項２】
前記係止レールは、下部に内下方へ凹んだ係止溝を形成するとともに、該係止溝の直上に当止片を前方突出させて形成したものである請求項１記載のハンギング機能付きブロックパネル装置。
【請求項３】
前記ブロックパネルは、金属製の表面板を有し、該表面板の上縁を切りっ放しの切断縁とし、前記係止レールの係止溝の外側に前記切断縁を下方から受け入れる係合溝を形成してなる請求項１又は２記載のハンギング機能付きブロックパネル装置。
【請求項４】
前記ブロックパネルの本体部を板金加工にて作製し、前記係止レール及び係合溝を形成したアルミ押出し型材を所定長さに切断したパネル補助部材を、前記本体部の上部に固定するとともに、表面板の上縁の切断縁を係合溝に受け入れてなる請求項１〜３何れかに記載のハンギング機能付きブロックパネル装置。
【発明の詳細な説明】
【技術分野】
【０００１】
本発明は、ハンギング機能付きブロックパネル装置に係わり、更に詳しくはトレー等のオプション品を係止することが可能なハンギング機能付きブロックパネル装置に関するものである。
【背景技術】
【０００２】
従来から、フレームにブロックパネルを嵌合係止する構造のパネル装置は各種提供されている。また、パネル板を支持する支柱や、パネルの縦枠に上下方向に一定間隔で係止孔を形成し、隣接するパネル板間の目地部に臨む前記係止孔にブラケットを嵌合係止して棚板や照明器具等のオプション品を取付けることができる構造のパネル装置も提供されている。しかし、ブラケットを取付けることができる位置が目地部に限定されるという使用上の制約がある。
【０００３】
そこで、特許文献１には、前面に事務用品等容器掛止め用受溝を有するハンギングパネルの裏面上部に下向きの係合縁を形成し、該ハンギングパネルの後板に取付板をその上端部を上記ハンギングパネルの係合縁に係合して重ね合せ、該後板と取付板を間仕切用パネル本体の支柱にねじ止めしてなる間仕切用パネルにおけるハンギングパネルの取付装置が開示されている。
【０００４】
また、特許文献２には、左右方向に並ぶ支柱間に、上下両面に左右方向を向く係合溝を有する複数の係止レールを、上下方向に間隔を設けて取付け、前記両係合溝に嵌合可能な係合突条を上下の端面に有するパネルを、該上下の係合突条を前記上下に対向する係合溝に嵌合することにより、上下に隣接する係止レールにより支持し、該係止レールの前後両面に係止溝を形成し、該係止溝を利用して棚を装着することができる間仕切パネル装置が開示されている。尚、特許文献３には、机上パネルに関するものであるが、パネルの笠木の前後両面に長手方向に沿って係止溝を設けたパネルが開示されている。
【０００５】
しかし、特許文献１記載のものは、ハンギングパネルの略全面にハンギング機能を持たせることができるが、外観性において他のブロックパネルとの相違が目立ち過ぎ、全体の意匠性において違和感が生じる。また、特許文献２記載のものは、上下のパネル板を係止レールで保持するので、必ず上下パネル間に係止レールを設けなければならず、必要のない高さ位置にも係止レールが存在し、係止溝が露出しているので外観性を損なうことになるのである。
【特許文献１】実公平７−２１６８８号公報
【特許文献２】特開２００４−２７０３３１号公報
【特許文献３】特開平６−１２５８１４号公報
【発明の開示】
【発明が解決しようとする課題】
【０００６】
そこで、本発明が前述の状況に鑑み、解決しようとするところは、フレームに複数のパネル板を上下に取付けて構成するブロックパネル装置であって、トレー等のオプション品を係止することが可能なハンギング機能を設けるにも係わらず、ハンギング機能が目立たず、外観的には通常のものと遜色ないハンギング機能付きブロックパネル装置を提供する点にある。
【課題を解決するための手段】
【０００７】
本発明は、前述の課題解決のために、フレームの両側縦杆のすくなくとも前面側に上下一対となった係止孔を複数対形成し、ブロックパネルの背面の両側上下部に形成した下向きフックを上下一対の前記係止孔に嵌合係止してなるブロックパネル装置であって、前記ブロックパネルの上縁に沿って、トレー等のオプション品を係止するための係止レールを前面側に開放して形成してなるハンギング機能付きブロックパネル装置を構成した（請求項１）。
【０００８】
ここで、前記係止レールは、下部に内下方へ凹んだ係止溝を形成するとともに、該係止溝の直上に当止片を前方突出させて形成したものである（請求項２）。
【０００９】
また、前記ブロックパネルは、金属製の表面板を有し、該表面板の上縁を切りっ放しの切断縁とし、前記係止レールの係止溝の外側に前記切断縁を下方から受け入れる係合溝を形成してなることが好ましい（請求項３）。
【００１０】
そして、前記ブロックパネルの本体部を板金加工にて作製し、前記係止レール及び係合溝を形成したアルミ押出し型材を所定長さに切断したパネル補助部材を、前記本体部の上部に固定するとともに、表面板の上縁の切断縁を係合溝に受け入れてなることがより好ましい（請求項４）。
【発明の効果】
【００１１】
以上にしてなる請求項１に係る発明のハンギング機能付きブロックパネル装置は、ブロックパネルの上縁に沿って係止レールを前面側に開放して形成したので、該ブロックパネルをフレームの両側縦杆に取付けた場合、前記係止レールが上下ブロックパネルの目地部として看取されるので、外観性における違和感が全くなく、しかも係止レールを利用してトレー等のオプション品を横方向の任意の位置に取付けることができ、またブロックパネルは背面の両側上下部に下向きフックを形成し、フレームの両側縦杆に形成した上下一対の係止孔に嵌合係止したので、該ブロックパネルの上縁部にトレー等のオプション品の荷重が加わってもブロックパネルが外れる恐れがないのである。
【００１２】
請求項２によれば、係止レールの下部の係止溝にオプション品のフック部を係止するとともに、該フック部の上部を前記当止片の下縁に当止することにより、オプション品を片持ち状態でも安定に保持することができる。
【００１３】
請求項３によれば、ブロックパネルの表面板の上縁を切りっ放しにすることができるので、加工工数を減らすことができるにも係わらず、該切断縁を係止レールの係止溝の外側に形成した係合溝内に受け入れて処理することができ、安全性にも外観性においても全く問題がないのである。
【００１４】
請求項４によれば、係止レール及び係合溝を形成したアルミ押出し型材を所定長さに切断したパネル補助部材を、板金加工にて作製したブロックパネルの本体部の上部に固定するだけで、ブロックパネルの上縁にハンギング機能を付与することができ、しかも係止レールの加工精度が高いので、オプション品のフック部を確実且つガタツキなく係止することができ、更にパネル補助部材は曲げ強度が高いのでブロックパネルの上部の補強にもなる。
【発明を実施するための最良の形態】
【００１５】
次に、添付図面に示した実施形態に基づき、本発明を更に詳細に説明する。図１は本発明に係るハンギング機能付きブロックパネル装置を示し、図２〜図５は第１実施形態、図６は第２実施形態、図７〜図１０は各種のオプション品を装着する使用例を示し、図中符号１はフレーム、２はブロックパネル、３は係止レールをそれぞれ示している。
【００１６】
本発明に係るハンギング機能付きブロックパネル装置は、フレーム１の両側縦杆４，４のすくなくとも前面側に上下一対となった係止孔５，５を複数対形成し、ブロックパネル２の背面の両側上下部に形成した下向きフック６，…を上下一対の前記係止孔５，…に嵌合係止してなり、前記ブロックパネル２の上縁に沿って、トレー等のオプション品を係止するための係止レール３を前面側に開放して形成したことを特徴とするものである。
【００１７】
更に詳しくは、前記フレーム１は、中空杆体からなる両側の縦杆４，４間に、少なくとも上下端部を含む複数箇所に横杆７，…を渡設して形成した強固な剛性構造となしたものである。そして、前記縦杆４の前後両面に複数対の係止孔５，…を上下方向に形成している。本実施形態では、２倍ピッチの上下幅を有するブロックパネル２を例示している。
【００１８】
前記ブロックパネル２は、本実施形態では、板金加工で作製した本体部８と、該本体部８の上部に固定するアルミ押出し型材からなるパネル補助部材９とから構成されている。前記本体部８は、スチール製の表面板１０の下縁を背面側に断面略四角形となるように下縁補強部１１を折曲形成するとともに、両側縁を背面側へ折曲し、更に内方へ折曲して側縁補強部１２，１２を形成し、該側縁補強部１２，１２を形成する裏面板１３，１３は２〜３ｃｍの横幅を有し、該裏面板１３，１３の下端部を前記下縁補強部１１の両端部の背面に重ねてリベット１４，１４にて連結し、また前記表面板１０の上縁は切りっ放しの切断縁１５のままとし、更に前記裏面板１３，１３の上部に切欠部１６，１６を形成したものである。
【００１９】
前記パネル補助部材９は、前記側縁補強部１２の厚さに略等しい偏平な板状であり、上縁部に前記係止レール３とその前面側に前記表面板１０の切断縁１５を受け入れる係合溝１７を形成するとともに、下部は前記両側縁補強部１２，１２の内部に嵌挿する装着部１８としている。また、前記係止レール３は、下部に内下方へ凹んだ係止溝１９を形成するとともに、該係止溝１９の直上に当止片２０を前方突出させて形成した形状を有している。また、前記係止溝１９を構成する前縁部２１と前記当止片２０との間は空間部となっており、更に前縁部２１の前面側に前記係合溝１７を形成するために設けた前片２２は、前記表面板１０と平行となっている。
【００２０】
そして、前記パネル補助部材９の装着部１８を、前記本体部８の両側縁補強部１２，１２の内部に上方から嵌挿するとともに、前記係合溝１７に前記表面板１０の切断縁１５を受け入れ、前記裏面板１３，１３の上端部を前記装着部１８にリベット２３，２３にて連結している。
【００２１】
次に、前記ブロックパネル２の背面に下向きフック６，…を設けるには、前記裏面板１３，１３の下部に、下向きフック６を有する合成樹脂製の下係止具２４，２４を取付けるとともに、前記パネル補助部材９の両側部に下向きフック６を有する金属製の上係止具２５，２５を取付ける。前記下係止具２４は、前記裏面板１３に開口した装着孔２６に基体部２７を嵌着し、該基体部２７に一体形成した下向きフック６を突出させている。また、前記上係止具２５は、金属製のブロック体であり、基体部２８をネジ２９で前記パネル補助部材９の上部両側部に螺着し、該基体部２８から下向きフック６が段設されている。勿論、下方の前記下係止具２４も金属製の上係止具２５と同じものを用いてもよい。
【００２２】
また、前記ブロックパネル２の表面板１０の背面中央部には、防音用の段ボール又は紙ハニカム等の芯材３０を貼着している。更に、前記パネル補助部材９の上縁部の背面には、上方のプロックパネル２の下縁又は笠木３１との間を塞ぐ弾性材料からなるパッキン３２を添着している。
【００２３】
そして、前記ブロックパネル２を前記フレーム１に下方から順に、下向きフック６，…を両縦杆４，４の所定の係止孔５，…を嵌合係止して装着する。また、必要に応じて前記フレーム１の後面側にもブロックパネル２を装着する。前記フレーム１に装着するブロックパネル２は、全て係止レール３を設けたものである必要はなく、係止レール３が必要な高さ位置に設ければよい。このようにフレーム１の上下方向に複数装着した上下のブロックパネル２，２の間には、前記係止レール３が存在するのである。
【００２４】
次に、図６に基づいて本発明の第２実施形態を説明する。本実施形態のブロックパネル２Ａは、全体を板金加工で作製したものである。本実施形態で使用したスチール板は、小さく波打った波板であり、それを横縞模様として利用する。本実施形態における本体部８には、切欠部１６，１６を設けてなく、単純に表面板１０と両側縁補強部１２，１２の上端を切りっ放しとしている。そして、前記本体部８の両裏面板１３，１３の上部内面に主補強部材３３をネジ３４，３４で固定する。前記主補強部材３３は、厚めのスチール板を折曲形成したものであり、下縁を前方へ断面略コ字形に折曲して形成した下補強３５を前記表面板１０の背面に当止し、また上縁を前方へ断面略Ｌ字形に折曲して前記当止片２０を形成している。そして、前記主補強部材３３の前面には薄めのスチール板を折曲形成した副補強部材３６を溶接して一体化している。前記副補強部材３６は、上部に前方へ直角に折曲した後、上方へ折曲して前記主補強部材３３の前面とで前記係止溝１９を形成し、更に前縁に断面略コ字形に折り返して前記係合溝１７を形成し、前記表面板１０の切断縁１５を受け入れている。機能的には、前述の第１実施形態と全く同一である。
【００２５】
次に、図７〜図１０に基づいて、第１実施形態のブロックパネル２を用いた使用例を簡単に説明する。図７は、オプション品として小物を吊下げるフック３７を示し、該フック３７の後端に前記係止溝１９内に係止し、前記前縁部２１と前片２２に密着する係止部３８を有し、前部に反り上がった係止部３９を有するものである。
【００２６】
図８は、オプション品としてトレー４０を示し、断面形状は前記フック３７と同一であり、合成樹脂製又はアルミニウム製の押出し成形品であり、後部に前記係止溝１９に係止する係止部４１と、前部に受部４２とを有するものである。尚、前記フック３７は、本押出し成形品を切断して製造する。
【００２７】
図９は、オプション品としてガラス棚４３を示し、金属製の板材を折曲形成した棚受部材４４とガラス板４５とからなり、棚受部材４４には、前記後端に前記係止溝１９内に係止し、前記前縁部２１と前片２２に密着する係止部４６を折曲形成するとともに、前方へ支持部４７を延設し、前記係止部４６と支持部４７の上にガラス板４５の基部を載置し、止め具４８で締着している。そして、前記係止部４６を前記係止レール３の係止溝１９に係止するとともに、ガラス板４５の上面後縁に添着した弾性パット４９を前記当止片２０の下縁に当止することにより、重量のあるガラス板４５を安定に保持するのである。
【００２８】
図１０は、オプション品としてＣＤラック５０を示し、該ＣＤラック５０は、金属板を正面視く字形に折曲形成した収容部５１の両側後端に下向きの係止片５２，５２を折曲形成するとともに、一方の収容部５１を構成する板体から折曲形成した三角形状の背面板５３を有しているものである。そして、前記ＣＤラック５０の両係止片５２，５２を前記係止レール３の係止溝１９に係止するとともに、背面板５３を表面板１０に当止して保持するのである。
【図面の簡単な説明】
【００２９】
【図１】本発明のハンギング機能付きブロックパネル装置を示す部分分解斜視図である。
【図２】第１実施形態のブロックパネルを示す一部破断した背面斜視図である。
【図３】同じくブロックパネルの一部省略した背面図である。
【図４】フレームにブロックパネルを装着した状態の縦断面図である。
【図５】同じく部分拡大縦断面図である。
【図６】第２実施形態のブロックパネルを示す部分側面図である。
【図７】オプション品として小物を吊下げるフックを用いる使用例を示す部分斜視図である。
【図８】オプション品としてトレーを用いる使用例を示す部分斜視図である。
【図９】オプション品としてガラス棚を用いる使用例を示す部分斜視図である。
【図１０】オプション品としてＣＤラックを用いる使用例を示す部分斜視図である。
【符号の説明】
【００３０】
１  フレーム            ２，２Ａ  ブロックパネル
３  係止レール          ４  縦杆
５  係止孔              ６  下向きフック
７  横杆                ８  本体部
９  パネル補助部材      １０  表面板
１１  下縁補強部        １２  側縁補強部
１３  裏面板            １４  リベット
１５  切断縁            １６  切欠部
１７  係合溝            １８  装着部
１９  係止溝            ２０  当止片
２１  前縁部            ２２  前片
２３  リベット          ２４  下係止具
２５  上係止具          ２６  装着孔
２７  基体部            ２８  基体部
２９  ネジ              ３０  芯材
３１  笠木              ３２  パッキン
３３  主補強部材        ３４  ネジ
３５  下補強            ３６  副補強部材
３７  フック            ３８  係止部
３９  係止部            ４０  トレー
４１  係止部            ４２  受部
４３  ガラス棚          ４４  棚受部材
４５  ガラス板          ４６  係止部
４７  支持部            ４８  止め具
４９  弾性パット        ５０  ＣＤラック
５１  収容部            ５２  係止片
５３  背面板
【図１】
2007154645.tif 000003
【図２】
2007154645.tif 000004
【図３】
2007154645.tif 000005
【図４】
2007154645.tif 000006
【図５】
2007154645.tif 000007
【図６】
2007154645.tif 000008
【図７】
2007154645.tif 000009
【図８】
2007154645.tif 000010
【図９】
2007154645.tif 000011
【図１０】
2007154645.tif 000012